(57)【特許請求の範囲】
【請求項１】
木質材料または木質材料−プラスチック混合物から成るコアを備えたパネルであって、
前記パネルは：
上面（１４）及び底面（６）と；
上面（１４）及び底面（６）と交差する垂直方向及び前記垂直方向に交差し上面（１４）及び底面（６）に沿う幅方向に延出している第１側方縁（２）と；
前記垂直方向及び前記幅方向に交差する水平方向において第１側方縁（２）とは反対を向いており、前記垂直方向及び前記幅方向に延出している第２側方縁（４）と；
第１側方縁（２）上の底面（６）に沿った部位において第１側方縁（２）から前記水平方向の外方に突出している第１腕（１０）と、第１腕（１０）の外方突出端から前記垂直方向の上方に向かい延出した後に第１側方縁（２）に向かい突出しアンダーカット（２２）形成する第１鉤要素（１２）と、を備える下方固定要素（８）と；そして、
第２側方縁（４）上の上面（１４）に沿った部位において第２側方縁（４）から前記水平方向の外方に突出している第２腕（１８）と、第２腕（１８）の外方突出端から前記垂直方向の下方に向かい延出し、下方延出端から第２側方縁（４）に向かい突出しアンダーカットを形成する少なくとも１つの固定用突出部（２４）を有している第２鉤要素（２０）と、を備える上方固定要素（１６）と；
を備えていて、
下方固定要素（８）の第１腕（１０）に、上方固定要素（１６）の第２鉤要素（２０）における前記幅方向に沿った長さよりも短い前記幅方向に沿った長さを有する少なくとも１つの貫通スロット（２６）が設けられており、
前記パネル（１，３）の２つは、
一方のパネル（１）の第１側方縁（２）と一方のパネル（１）の下方固定要素（８）の第１鉤要素（１２）における第１側方縁（２）に向かい突出した突出端との間の隙間に前記垂直方向の上方から下方に向かい他方のパネル（３）の上方固定要素（１６）の第２鉤要素（２０）の少なくとも１つの固定用突出部（２４）を押し込んで下方固定要素（８）の第１腕（１０）を前記下方に向かい弾性的にそらせた後に一方のパネル（１）の下方固定要素（８）の第１鉤要素（１２）のアンダーカット（２２）中に他方のパネル（３）の上方固定要素（１６）の第２鉤要素（２０）の少なくとも１つの固定用突出部（２４）を嵌め込むことにより前記垂直方向と前記水平方向において互いに連結及び固定が可能である、
ことを特徴とするパネル。
【請求項２】
少なくとも１つの貫通スロット（２６）は、第１側方縁（２）に対し前記幅方向に沿い平行に延びている、請求項１に記載のパネル。
【請求項３】
下方固定要素（８）の第１腕（１０）に前記貫通スロット（２６）が複数設けられている、請求項１または２に記載のパネル。
【請求項４】
複数の貫通スロット（２６）が第１側方縁（２）から種々の距離に配置されている、請求項３に記載のパネル。
【請求項５】
少なくとも２つの貫通スロット（２６）が少なくとも互いに部分的に並んで延びている、請求項４に記載のパネル。
【請求項６】
２つのスロット（２６）が下方固定要素（８）の第１腕（１０）において前記幅方向の両端に設けられている、請求項１又は２に記載のパネル。
【請求項７】
前記少なくとも１つの固定用突出部（２４）における前記幅方向における長さが、第２側方縁（４）における前記幅方向における長さよりも短い、請求項１乃至６のいずれか１項に記載のパネル。
【請求項８】
第２鉤要素（２０）が複数の固定用突出部（２４）を有している、請求項１乃至７のいずれか１項に記載のパネル。
【請求項９】
前記幅方向における前記スロット（２６）の位置が前記幅方向における固定用突出部（２４）の位置に対応している、請求項１乃至８のいずれ１項に記載のパネル。
【請求項１０】
第１腕（１０）の底面（２８）が、前記水平方向の水平線に対し角度αで上方に向かい延びている、請求項１乃至９のいずれか１項に記載のパネル。
【請求項１１】
角度αが、０と略１５°との間にある、請求項１０に記載のパネル。
【請求項１２】
第１側方縁（２）において前記幅方向で前記第１腕（１０）に沿った部位と前記幅方向で前記上面（１４）に沿った部位との間は、前記第１側方縁（２）から前記水平方向の内方に引っ込んだアンダーカット（３４）を有している、請求項１乃至１１のいずれか１項に記載のパネル。
【請求項１３】
前記第１側方縁（２）中の前記アンダーカット（３４）が、前記第１側方縁（２）から前記水平方向の前記内方に進むに伴い前記底面（６）に向かい斜めに延出した溝（３２）として設計されている、請求項１２に記載のパネル。
【請求項１４】
前記垂直方向における前記溝（３２）の断面が矩形状である、請求項１３に記載のパネル。
【請求項１５】
第１側方縁（２）において前記幅方向で上面（１４）に沿った部位が、第１側方縁（２）から前記水平方向の内方に向かい切り欠かれ前記上方を向いた水平方向接合面（３０）を有し、
上方固定要素（１６）の第２腕（１８）の前記外方突出端において前記幅方向で上面（１４）に沿った部位が前記水平方向の外方にさらに突出し前記下方を向いた水平方向接合面（３０）を有し、
前記パネル（１，３）の２つが前記垂直方向と前記水平方向において互いに連結及び固定されたときに、一方のパネル（１）の第１側方縁（２）の水平方向接合面（３０）に他方のパネル（３）の上方固定要素（１６）の第２腕（１８）の前記外方突出端の水平方向接合面（３０）が載置される、
請求項１乃至１４のいずれか１項に記載のパネル。
【発明の詳細な説明】
【技術分野】
【０００１】
本発明は、木質材料または木質材料−プラスチック混合物から成るコア，上面及び底面を伴っているパネル、特にフロアパネル、に関係しており、このパネルは、第１側方縁上に下方固定要素を有していて、下方固定要素は、パネルの底面上に配置され第１側方縁を越えて突出している第１腕と第１腕の外端に配置されアンダーカットを伴っている第１鉤要素とを備えており、そしてこのパネルは、第１側方縁とは反対の第２側方縁上に上方固定要素を有していて、上方固定要素は、パネルの上面上に配置され第２側方縁を越えて突出している第２腕と第２腕の外端に配置され少なくとも１つの固定用突出部を有する第２鉤要素とを備えており、２つの同一設計のパネルは一方のパネルの固定用突出部が第２のパネルのアンダーカットへ嵌め込まれた後に水平方向及び垂直方向に互いに連結されそして固定されることが可能である。
【背景技術】
【０００２】
このようなパネルは、例えばDE 199 29 896 A1から知られている。そこに記載されているパネルの２つは、設置面に対し垂直な結合移動により互いに連結されている。この場合、下方固定要素及び上方固定要素の両方は、一方のパネルの固定用突出部が第２のパネルのアンダーカット中に嵌まり込むまで、連続的に広げられる。２つのこのように連結されたパネルは、水平方向及び垂直方向の両方において互いに連結されそして固定されている。
【０００３】
固定の強度、すなわち、互いに連結されていて固定されている２つのパネルを再度分離するために負荷しなければならない力は、この場合、一方のパネルの固定用突出部が他方のパネルのアンダーカット中にどの程度嵌まり込むことができるかによって、決定される。固定用突出部がアンダーカットにさらに係合すればするほど、パネルにおける固定はさらに強まる。出来る限り強い固定を達成するために、固定要素は弾性的に出来る限り大きく広げられる。この目的のために、２つの固定要素が成っている材料は比較的高い弾性を有していなければならない。
【０００４】
DE 103 05 695 A1もまた、設置面に対し垂直な結合移動により互いに連結されることが出来るフロアパネルを開示している。パネルは、側方縁上に断面が実質的にマッシュルーム形状にされている固定片を有し、そしてこの側方縁とは反対の側方縁上に横断面が実質的にマッシュルーム形状にされている固定溝を有している。２つのパネルが互いに結合される時、実質的にマッシュルーム形状にされている固定片が今度は固定溝中に挿入される。この場合、マッシュルーム形状にされている固定片が嵌まり込むまで、固定溝はマッシュルーム形状により弾性的に広げられなければならない。
【０００５】
また、この場合において、固定溝は、２つのパネルの相互の強い固定を達成するために、出来る限り大きく弾性的に出来限り大きく広げられねばならない。
【０００６】
DE 202 03 311 U1もまた、垂直結合移動によって互いに固定されることが出来るフロアパネルを開示している。また、ここに示されている解決においは、一方のパネルの固定用突出部が他方のパネルのアンダーカット中に嵌まり込む。また、この場合において、一方のパネルの固定要素は、固定を確実にするために広げられなければならない。
【０００７】
パネルのためのコア材料としては、特に、中密度ファイバー板（ＭＤＦ）または高密度ファイバー板（ＨＤＦ）が適切である。後者は大きな強度を有していて、その結果としてこれ等はフロアが特にさらされている歩行からの応力に容易に耐えることができる。これらの担体が僅かな程度にのみ弾性的に変形可能であることは不利益である。この結果として、固定要素は限定された程度の範囲でのみ弾性的に広げられることができる。従って、２つのパネルの固定の可能な強度もまた、コア材料の選択によって限定される。
【０００８】
DE 10 2007 015 048 A1は、もう１つのパネルの反対側にこの目的の為に設けられている溝中に嵌まり込むことができるばね要素が、少なくとも１つの側方縁上に形成されているパネルを開示している。ばね要素は側方縁に沿って延びており、その２つの端でのみパネルのコアに連結されている。中間において、それは、２つの回転プロセスによって開放され、そして従って水平方向に反らされることができる。２つのパネルが連結された時に、ばね要素は反らされて、２つのパネルが予め定められた端位置に到達したときに第２のパネルにこの目的の為に設けられている溝中に嵌まり込む。この結果として、両方のパネルは少なくとも垂直方向において互いに連結され、そして固定されている。
【０００９】
固定の強度は、この場合、ばね要素の厚さによって決定される。特に、薄いパネルの場合においては、ばね要素も非常に薄く設計されねばならず、その結果として、特にこれらの場合においては、十分に強く設計されていない固定の結果となることが出来る。
【００１０】
DE 10 2007 020 271 A1は、その側方縁上に垂直方向固定の為の固定要素が設けられているフロアパネルを開示している。この場合には、パネルの固定突起が、他方のパネル上の窓を貫通して出現していて、この窓の周壁に係合する。この窓の設計によって、２つの側で挟持された曲げビームが形成されていて、そしてこの曲げビームは固定の為に反らされ、そして固定位置に再度跳ね戻る。
【００１１】
パネルの側方縁に沿って延びているこの曲げビームは、その両端でのみ、このパネルに連結されていることは不都合である。このことに関しては、平坦でない基礎の上に横たえられたフロアパネルにおいて特に、歩行から生じる強い負荷によって、曲げビームとパネルコアとの間の連結が壊れることがある。この場合においては、２つのパネルは互いにこれ以上固定されない。
【００１２】
更に、固定要素が窓を突き通っているので、曲げビームはパネルの厚みの約３分の１のみを厚みとして有することが出来る。特に、薄いパネルの場合、固定の安定性が従って大きく減じられ、この解決策は厚いパネルのためにのみ適用できる。
【発明の概要】
【００１３】
本発明の目的は、従って、薄いパネルの場合においても、垂直方向及び水平方向の両方において２つの同一のパネルの互いの強くて確実な固定が可能であるように、前述したパネルを改善することである。
【００１４】
本発明はこの目的を、下方連結要素の腕中に第２鉤要素の幅よりも小さい幅を伴って少なくとも１つのスロットが設けられている一般的なパネルによって達成している。
【００１５】
この少なくとも１つのスロットは、第１鉤要素の一部分をコアに対し水平方向に離している。この結果として、第１鉤要素は、より簡単に、さらには最初は水平方向にそして二番目はパネルの側方縁に対し平行な軸の周りの両方に、反らされることができる。この結果として、下方固定要素の更なる広がりが可能であり、第２鉤要素の固定用突出部は下方固定要素のアンダーカットに再び係合することができ、これにより両方のパネルの互いの固定が強化される。
【００１６】
好ましくは、少なくとも１つのスロットが第１側方縁に対し平行に延びている。この結果、このようなパネルの製造が簡単かつ迅速に可能であることを確実にしている。少なくとも１つのスロットの位置および長さの故に、２つのパネルの互いの連結および固定の間に下方固定要素をどの程度広げることができるかを非常に正確に設定することが可能である。
【００１７】
好ましくは、複数のスロットが設けられる。この結果、下方固定要素の腕は特に負荷のかかった個所において、例えば、パネルの側方縁の中間において、中断されず、従って、高い安定性を有することを確実にしている。
【００１８】
複数のスロットは好ましくは第１側方縁から種々の距離に配置される。好ましくは、少なくとも２つのスロットが、互いに少なくとも部分的に並んで延びている。このようにして、下方固定要素の安定性を余りに大きく弱めることなく、側方縁の全長さが少なくとも１つのスロットによって中断されることが確実にされている。
【００１９】
複数のスロットの少なくとも１つが好ましくは、第１側方縁の一端に配置されている。この結果、下方固定要素の弾性が縁領域において特に増大されている。
【００２０】
好ましくは、第２鉤要素上の少なくとも１つの固定用突出部が第２側方縁よりも短く設計されている。
【００２１】
第２鉤要素は好ましくは、互いに側方に配置されている複数の固定用突出部を有している。側方縁に沿った少なくとも１つのスロット及び少なくとも１つの固定用突出部の位置は好ましくは、互いに対応している。このようにして、第２鉤要素上に固定用突出部が配置されている地点で、下方固定要素上で腕中にスロットが設けられることが確実にされている。この結果、特にこれらの地点で腕の弾性が増大され、そして下方固定要素の反りまたは広がりが容易化されている。固定用突出部が設けられていない地点では、この場合は下方固定要素の腕中にスロットがなく、それ故に後者はそこに十分な安定性を有する。特に、複数のスロットの少なくとも１つが第１側方縁の一端に配置されている時、第２側方縁の端にも複数の固定用突出部が設けられるべきである。後者は、回転しながらの反り運動（rotierende Ausweichbewegung）の使用により、側方縁の端部における少なくとも１つのスロットよりも十分に長くされることが出来る。
【００２２】
下方固定要素の戻り力は、少なくとも１つのスロットの位置及び長さによって主に決定されている。第２鉤要素における少なくとも１つの固定用突出部の長さもまた、種々に出来る。それは、下方固定要素が行なう運動に著しい影響を有する。固定用突出部が対応しているスロットよりも短いと、第１鉤要素は主に水平方向に動かされる。固定用突出部の長さが、しかしながら、少なくとも１つの対応しているスロットの長さより僅かに短いだけであれば、第１鉤要素は回転しながらの反り運動へとより協力に強制される。
【００２３】
好ましくは、第１腕の底面が水平線に対し角度αで上方に延びている。パネルの底面のこの減少は、下方固定要素の上昇した弾性を提供する。結果として、腕の安定性に悪影響を与えることなく、下方固定要素をさらに広げることが可能である。
【００２４】
角度αは好ましくは０と約１５°との間である。
【００２５】
第１側方縁が第１腕の上方にアンダーカットを有するとき、第１腕の自由長が延長される。この結果として、２つの同一のパネルが互いに連結されそして固定される時に、下方固定要素は更に広げられることができる。
【００２６】
アンダーカットは、第１腕の上方の第１側方縁中に、例えば、溝として、特に断面が矩形状である溝として、設計されることが出来る。
【００２７】
本発明に従っているパネルの第１側方縁及び第２側方縁は、個々の場合において、水平方向の結合縁を有することが出来る。これらの結合縁により、凹所が一方の側方縁に形成され、そして対応している突起がパネルの反対側の側方縁上に形成されている。２つのパネルが横たわらせられ、そして結合される時には、この場合には、突起が凹所中に挿入される。この結果として、敷設の間のパネルの垂直方向位置決めは、実際の固定機構から分離されている。
【００２８】
図面を参照して、本発明の実施形態が以下により詳細に記載される。
【図面の簡単な説明】
【００２９】
【図１ａ】固定プロセスの種々の段階における、本発明の第1実施形態に従っている２つのパネルの断面図を示している。
【図１ｂ】固定プロセスの種々の段階における、本発明の第1実施形態に従っている２つのパネルの断面図を示している。
【図１ｃ】固定プロセスの種々の段階における、本発明の第1実施形態に従っている２つのパネルの断面図を示している。
【図２】本発明の第２実施形態に従っているパネルの概略的な上面図を示している。
【図３】図２の線ＩＩＩ−ＩＩＩに沿った断面図を示している。
【図４】本発明の第３実施形態に従っている２つのパネルの断面図を示している。
【図５】本発明の第４実施形態に従っている２つのパネルの断面図を示している。
【図６】本発明の第５実施形態に従っている２つのパネルの断面図を示している。
【図７】図４に従っている例のもう１つの実施形態を示している。
【発明を実施するための形態】
【００３０】
図１ａ乃至図１ｃは、２つの同一のパネルの連結プロセス（process）の種々の段階を示している。この場合、第１パネル１の第１側方縁２及び第２パネル３の第２側方縁４が示されている。第１パネル１の底面６には、下方固定要素８が配置されている。下方固定要素８は、第１側方縁２を越えて突出している第１腕１０を有しており、この腕の外端には第１鉤要素１２が配置されていて、第１腕はスロット２６を有している。
【００３１】
パネル３は、上面１４に、上方固定要素１６を有する。上方固定要素１６は、第２側方縁４を越えて突出している第２腕１８を備えていて、この腕の外端には第２鉤要素２０が配置されている。
【００３２】
下方固定要素８の第１鉤要素１２は、アンダーカット（undercut）２２を有している。これに対応して、第２鉤要素２０は固定用突出部２４を有している。
【００３３】
図２中に示されている実施形態においては、下方固定要素８の第１腕１０中に２つのスロット２６が導入されている。腕１０には、複数のスロット２６が互いに平行に配置されることもできる。好ましくは、しかしながら、それぞれ唯１つの貫通スロット２６が設けられている。
【００３４】
図１ａには、固定前の２つのパネル１及び３が示されている。これらは、第１パネル１に対する第２パネル３の垂直結合移動により固定が行なわれることができるよう相対的に配置さられている。
【００３５】
図１ｂは、ロックプロセス中の２つのパネル１，３を示している。図１ａとの比較において、第２パネル３は第１パネル１に対し下降されている。この場合、第２鉤要素２０は、下方固定要素８を広げる。この場合、第１鉤要素１２は、右へ向かう水平移動ばかりでなく図の平面に対し垂直な軸の回りの回転も実行することができる。このことは、下方固定要素８の第１腕１０に設けられたスロット２６によって可能とされている。
【００３６】
図１ｃにおいては、２つのパネル１，３が互いに固定されている。この場合、第２鉤要素２０の固定用突出部２４は、第１鉤要素１２中にアンダーカット２２において嵌め込まれている。ここにおいて、第１鉤要素１２は、自身の出発位置へと再び跳ね戻る。
【００３７】
第１鉤要素１２は、第１側方縁２の全長に亘り延びている。それは、例えば、静止刃の原理に従っている静止工具により簡単に創出されることが出来、これにより工作物の動きが機械加工の為に使用されている。下方固定要素８自体が、例えば、１つのまたはそれ以上の常置の回転フライス工具によって製造される。複数のスロット２６もまた、パネルの移動の間の旋回移動によりパネル材料中及び外へ移動する同様の回転フライス工具によって簡単に作成されることができる。代わりとして、レーザまたは打ち抜きのような他の方法もまた用いられることができる。製造は、連続的又は規則正しい断続的方法により実行されることができる。
【００３８】
図示されている実施形態においては、第２鉤要素２０の固定用突出部２４が第２側方縁４の全長に亘り延びていない。その長さは、第１腕１０中のスロット２６の位置に対応している。従って、第１鉤要素１２の反りが２つのパネル１，３を固定する為に必要である位置で、下方の固定要素８の弾性が精密に増大されることが保証されている。固定用突出部２４が設けられていない位置では、下方固定要素８が十分な安定性を有している。固定用突出部２４は、例えば、静止工具により、形成される。固定用突出部２４の数はスロット２６の数に対応している（図２を参照）。
【００３９】
２つのパネルの固定及び連結のために、第２鉤要素２０は、第２パネル３の揺動により第１パネル１上の第１鉤要素１２の後方へ案内される。ここでは、固定用突出部２４が第１鉤要素１２を通過するまで、固定用突出部２４が第１鉤要素１２を反らせる。このことは、第１腕１０に設けられているスロット２６により可能となり又は簡易化されている。次に、第１鉤要素１２はその出発位置に戻るよう移動し、これにより２つのパネル１，３は水平及び垂直方向の両方に固定される。複数の固定用突出部２４が設けられているのであれば、第２パネル３が揺動された時に複数の固定用突出部２４が順に固定され、摺動ファスナー型による連結が生じる。
【００４０】
図２は、第１パネル１の概略的な上面図を示している。下方固定要素８が第１側方縁２上に形成されている。この下方固定要素８もまた、第１腕１０及び第１鉤要素１２を有している。図示されている実施形態においては、第１側方縁２の各々の端に配置されている２つのスロット２６が第１腕１０中に設けられている。結果として、下方固定要素８の弾性が、この縁領域において特に増大されている。好ましくは、その側方縁の外縁領域にもまた配置されていてこれに関して図示されていない反対側の側縁と合致されている２つの固定用突出部が設けられている。
【００４１】
図３は、図２の線ＩＩＩ−ＩＩＩに沿った断面を示している。
【００４２】
下方固定要素８が第１パネル１の底面６に配置されている。スロット２６が下方固定要素８の第１腕１０に設けられている。
【００４３】
この場合、第１腕１０の底面２８は水平線に対し上方に向かい角度αで延びている。この結果として、下方固定要素８の弾性は、第１腕１０の安定性をさらに損なうことなく更に増大される。このようにして、第１鉤要素１２は、２つの同じパネルが互いに組み合わされる時、更に反らされることが出来る。角度αは好ましくは０と約１５度との間である。
【００４４】
図４は、それらが互いに組み合わされる前の２つのパネル１,３の断面を示している。図３中の如く、その第１腕１０が指摘されていない角度αで水平線Ｈに対し上方に向かい延びている底面２８を有している下方固定要素８が、第１パネル１の底面６上に配置されている。パネル１，３が相互に組み合わされた時、第１鉤要素１２はまた、第２鉤要素２０上の固定用突出部２４がこの目的の為に設けられている第１鉤要素１２上のアンダーカット２２に係合するまで、反らされる。パネル１は、その第１側方縁２上に上方を向いた水平結合縁３０を有している。水平結合縁３０はまた、第２パネル３の第２側方縁４上の第２腕１８の外方突出端から水平方向にさらに外方に突出した部位に下方を向いて設けられている。この場合、２つの水平結合縁３０は、パネル１，３の連結され固定された状態において互いに載置されるよう設計されている。水平結合縁３０によって形成されていて上方から来るパネル３上に位置された突出部は、ここにおいて第１パネル１上の水平結合縁３０により形成されている凹所中に挿入される。この結果として、パネル１，３の位置決めが実際の固定機構から分離されていることが保証されている。
【００４５】
図５は、本発明の第４実施形態に従っている２つのパネル１，３の断面を示している。前述の実施形態中の如く、下方固定要素８が第１パネル１の底面６に配置されている。２つのスロット２６が、その底面２８が水平線Ｈに対し角度αで上方に延びている第１腕１０中に配置されている。固定の為には、第２パネル３の上面１４上に配置されている上方固定要素１６の第２鉤要素２０が、第１鉤要素１２に係合する。その第１側方縁２上で、第１パネル１は矩形状の溝３２を有しており、これにより下方固定要素８の従って第１鉤要素１２の移動の自由がさらに増大されている。このようにして、２つのパネル１，３が固定された時に第１鉤要素１２は第１腕１０の安定性を損なうことなく更に反らされることができることが達成されている。図６においては、第１パネル１の第１側方縁２に設けられているアンダーカット３４により同じ効果が引き起こされている。このようにして、２つのパネル１，３が固定された時に第１鉤要素１２が第１腕１０の安定性を損なうことなく更に反らされることができるよう、第１腕１０の自由長が延長されている。
【００４６】
また、図６中において、第１腕１０の底面２８は水平線Ｈに対し角度αで上方に延びている。
【００４７】
図７中に示されている実施形態においては、第１及び第２鉤要素１２，２０の接触面３５，３６は水平線に対し角度βで傾斜して延びている。このような構成においては、固定プロセスが少ない力によって進行する。
なお、この明細書には以下の発明も記載されている。
１．木質材料または木質材料−プラスチック混合物から成るコア，上面（１４），そして底面（６）を有するパネル、特にフロアパネル、であって、第１側方縁（２）上に下方固定要素（８）を有し第１側方縁（２）とは反対の第２側方縁（４）上に上方固定要素（１６）を有していて、下方固定要素は、パネルの底面（６）上に配置され第１側方縁（２）を越えて突出している第１腕（１０）と第１腕（１０）の外端に配置されアンダーカット（２２）を伴っている第１鉤要素（１２）とを備え、上方固定要素は、パネルの上面（１４）上に配置され第２側方縁（１４）を越えて突出している第２腕（１８）と第２腕（１８）の外端に配置され少なくとも１つの固定用突出部（２４）を有する第２鉤要素（２０）とを備えており、２つの同一設計のパネルは一方のパネルの固定用突出部（２４）が他方のパネルのアンダーカット（２２）へ嵌め込まれた後に水平方向及び垂直方向に互いに連結及び固定が可能であり、
下方固定要素（８）の第１腕（１０）に、第２鉤要素（２０）の幅よりも狭い幅の少なくとも１つの一体的なスロット（２６）が設けられている、ことを特徴とするパネル。
２．少なくとも１つの一体的なスロット（２６）は、第１側方縁（２）に対し平行に延びている、上記１．に記載のパネル。
３．複数のスロット（２６）が設けられている、上記１．または２．に記載のパネル。
４．複数のスロット（２６）は、第１側方縁（２）から種々の距離に配置されている、上記３、に記載のパネル。
５．少なくとも２つのスロット（２６）が、少なくとも互いに部分的に並んで延びている、上記４．に記載のパネル。
６．少なくとも１つのスロット（２６）が、第１側方縁（２）の一端に配置されている、上記１．乃至５．のいずれか１つに記載のパネル。
７．少なくとも１つの固定用突出部（２４）が、第２側方縁（４）よりも短い、上記１．乃至６．のいずれか１つに記載のパネル。
８．第２鉤要素（２０）が、複数の固定用突出部（２４）を有している、上記１．乃至７．のいずれか１つに記載のパネル。
９．前記側方縁（２，４）に沿った少なくとも１つのスロット（２８）の位置及び少なくとも１つの固定用突出部（２４）の位置が、互いに対応している、上記１．乃至８．のいずれ１つに記載のパネル。
１０．第１腕（１０）の底面（２８）が、水平線に対し角度αで上方に向かい延びている、上記１．乃至９．のいずれか１つに記載のパネル。
１１．角度αが、０と略１５°との間にある、上記１０．に記載のパネル。
１２．第１側方縁（２）が、第１腕（１０）の上方にアンダーカット（３４）を有している、上記１．乃至１１．のいずれか１つに記載のパネル。
１３．第１側方縁（２）中のアンダーカット（３４）が、第１腕（１０）の上方において溝（３２）として設計されている、上記１２．に記載のパネル。
１４．溝（３２）が、断面において矩形状である溝（３２）である、上記１３．に記載のパネル。
１５．第１側方縁（２）及び第２側方縁（４）が、夫々、水平方向接合縁（３０）を有する、上記１．乃至１４．のいずれか１つに記載のパネル。
【符号の説明】
【００４８】
１…第１パネル
２…第１側方縁
３…第２パネル
４…第２側方縁
６…底面
８…下方固定要素
１０…第１腕
１２…第１鉤要素
１４…上面
１６…上方固定要素
１８…第２腕
２０…第２鉤要素
２２…アンダーカット
２４…固定用突出部
２６…スロット
２８…底面
３０…水平方向接合縁
３２…矩形状の溝
３４…アンダーカット
３５…接触面
３６…接触面
α…角度
β…角度
Ｈ…水平線
【図１ａ】
0005420650.tif 000002
【図１ｂ】
0005420650.tif 000003
【図１ｃ】
0005420650.tif 000004
【図２】
0005420650.tif 000005
【図３】
0005420650.tif 000006
【図４】
0005420650.tif 000007
【図５】
0005420650.tif 000008
【図６】
0005420650.tif 000009
【図７】
0005420650.tif 000010